(57)【要約】【課題】試験体に触れたまま試験室の内部の様子を観察することが可能な試験体の防火性能展示装置を提供する。【解決手段】複数の側面を有する試験室と、前記複数の側面のうち前側面１３に、試験室の内部及び外部に露出した状態で設けられる複数の試験体２２と、試験室の内部に設けられて炎を吹き出すことができるバーナーと、複数の試験体２２から一の試験体２２を選択する操作部と、選択された前記一の試験体２２に対して炎を吹きつけることができる吹き付け位置にバーナーを移動させる駆動モータ及び駆動機構と、前側面１３に設けられ、試験室の外部から内部を視認可能な窓部２３と、を具備した。【選択図】図７
2015169854.tif 000002
【特許請求の範囲】
【請求項１】
複数の側面を有する試験室と、
前記複数の側面のうち一の側面に、前記試験室の内部及び外部に露出した状態で設けられる複数の試験体と、
前記試験室の内部に設けられて炎を吹き出すことができるバーナーと、
前記複数の試験体から一の試験体を選択する選択手段と、
選択された前記一の試験体に対して炎を吹きつけることができる吹き付け位置に前記バーナーを移動させる移動手段と、
前記一の側面に設けられ、前記試験室の外部から内部を視認可能な第一窓部と、
を具備する、
試験体の防火性能展示装置。
【請求項２】
前記第一窓部は、前記複数の試験体に隣接する位置に設けられる、
請求項１に記載の試験体の防火性能展示装置。
【請求項３】
前記第一窓部は、前記複数の試験体と同一の高さに設けられる、
請求項２に記載の試験体の防火性能展示装置。
【請求項４】
前記試験室の内部に設けられて前記複数の試験体を撮影する撮影手段と、
前記試験室の外部かつ前記一の側面の近傍から視認可能な位置に設けられ、前記撮影手段により撮影された映像を表示する映像表示手段と、
をさらに具備する、
請求項１から請求項３までのいずれか一項に記載の試験体の防火性能展示装置。
【請求項５】
前記複数の試験体の温度を検出する温度検出手段と、
前記試験室の外部かつ前記一の側面の近傍から視認可能な位置に設けられ、前記温度検出手段により検出された前記複数の試験体の温度を表示する温度表示手段と、
をさらに具備する、
請求項１から請求項４までのいずれか一項に記載の試験体の防火性能展示装置。
【請求項６】
前記複数の側面のうち、前記一の側面と隣接しない他の側面に設けられ、前記試験室の外部から内部を視認可能な第二窓部をさらに具備する、
請求項１から請求項５までのいずれか一項に記載の試験体の防火性能展示装置。
【発明の詳細な説明】
【技術分野】
【０００１】
本発明は、例えば住宅に用いられる外壁材からなる試験体の防火性能を展示する試験体の防火性能展示装置の技術に関する。
【背景技術】
【０００２】
従来、例えば外壁材からなる試験体の防火性能を展示する試験体の防火性能展示装置の技術は公知となっている。例えば、特許文献１に記載の如くである。
【０００３】
特許文献１には、複数の側面を有する試験室（部屋）と、試験室の複数の側面のうち一の側面に、当該試験室の内部及び外部に露出した状態で設けられる試験体（外壁材）と、試験室の内部に設けられて炎を吹き出すことができるバーナーと、試験室の複数の側面のうち一の側面と隣接する他の側面に設けられ、当該試験室の外部から内部を視認可能な窓部（窓）と、を具備する試験体の防火性能展示装置の技術が開示されている。
【０００４】
このような構成により、バーナーによって炎が吹き付けられている試験体に、試験室の外部から直接手で触れることができる。見学者は、試験室の外部から試験体に触れることで、当該試験体の防火性能を体感することができる。また、他の見学者は、バーナーが試験体に炎を吹き付けている様子を窓部を介して観察することができ、試験体の防火性能をより実感することができる。
【０００５】
しかし、特許文献１に記載の技術では、窓部は試験体に触れている見学者から遠く離れているため、試験体に触れたまま試験室の内部の様子を観察することは困難であった。このため、見学者に試験体の防火性能を十分に印象付けることが困難であった。
【先行技術文献】
【特許文献】
【０００６】
【特許文献１】特許第３５１７１０５号公報
【発明の概要】
【発明が解決しようとする課題】
【０００７】
本発明は以上の如き状況に鑑みてなされたものであり、その解決しようとする課題は、試験体に触れたまま試験室の内部の様子を観察することが可能な試験体の防火性能展示装置を提供することである。
【課題を解決するための手段】
【０００８】
本発明の解決しようとする課題は以上の如くであり、次にこの課題を解決するための手段を説明する。
【０００９】
即ち、請求項１においては、複数の側面を有する試験室と、前記複数の側面のうち一の側面に、前記試験室の内部及び外部に露出した状態で設けられる複数の試験体と、前記試験室の内部に設けられて炎を吹き出すことができるバーナーと、前記複数の試験体から一の試験体を選択する選択手段と、選択された前記一の試験体に対して炎を吹きつけることができる吹き付け位置に前記バーナーを移動させる移動手段と、前記一の側面に設けられ、前記試験室の外部から内部を視認可能な第一窓部と、を具備するものである。
【００１０】
請求項２においては、前記第一窓部は、前記複数の試験体に隣接する位置に設けられるものである。
【００１１】
請求項３においては、前記第一窓部は、前記複数の試験体と同一の高さに設けられるものである。
【００１２】
請求項４においては、前記試験室の内部に設けられて前記複数の試験体を撮影する撮影手段と、前記試験室の外部かつ前記一の側面の近傍から視認可能な位置に設けられ、前記撮影手段により撮影された映像を表示する映像表示手段と、をさらに具備するものである。
【００１３】
請求項５においては、前記複数の試験体の温度を検出する温度検出手段と、前記試験室の外部かつ前記一の側面の近傍から視認可能な位置に設けられ、前記温度検出手段により検出された前記複数の試験体の温度を表示する温度表示手段と、をさらに具備するものである。
【００１４】
請求項６においては、前記複数の側面のうち、前記一の側面と隣接しない他の側面に設けられ、前記試験室の外部から内部を視認可能な第二窓部をさらに具備するものである。
【発明の効果】
【００１５】
本発明の効果として、以下に示すような効果を奏する。
【００１６】
請求項１においては、見学者は、試験体に触れたまま試験室の内部の様子を観察することができる。したがって、試験体に炎が吹き付けられる様子を見ながら、当該試験体に外部から触れ、当該試験体の防火性能を体感することができる。これによって、当該見学者に試験体の防火性能を十分に印象付けることができる。
【００１７】
請求項２においては、見学者は、より容易に試験体に触れたまま試験室の内部の様子を観察することができる。
【００１８】
請求項３においては、見学者は、より容易に試験体に触れたまま試験室の内部の様子を観察することができる。
【００１９】
請求項４においては、見学者は、撮影手段により撮影された映像を併せて見ることができる。これによって、当該見学者に試験体の防火性能をより十分に印象付けることができる。
【００２０】
請求項５においては、見学者は、温度検出手段により検出された試験体の温度を併せて確認することができる。これによって、当該見学者に試験体の防火性能をより十分に印象付けることができる。
【００２１】
請求項６においては、試験体に触れている見学者以外の見学者も、炎が吹き付けられている試験体を観察することができ、多数の見学者に試験体の防火性能を印象付けることができる。
【図面の簡単な説明】
【００２２】
【図１】本発明の一実施形態に係る展示装置の全体的な構成を示した斜視模式図。
【図２】同じく、平面模式図。
【図３】同じく、側面模式図。
【図４】試験室の前側面を示した正面模式図。
【図５】試験体集合部の構成を示した正面模式図。
【図６】（ａ）バーナーの移動経路を示した平面模式図。（ｂ）バーナーが移動する様子を示した平面模式図。（ｃ）試験体がバーナーから炎を吹き付けられる様子を示した平面模式図。
【図７】見学者の見学の様子を示した正面模式図。
【図８】（ａ）見学者が試験体の防火性能の展示を視認する様子を示した平面模式図。（ｂ）第一左側面を有さないと仮定した場合の試験室の構成を示した平面模式図。
【図９】（ａ）試験体集合部から使用済みの試験体を未使用の試験体に交換する様子を示した正面模式図。（ｂ）同じく、図７（ａ）の続きを示した図。（ｃ）同じく、図７（ｂ）の続きを示した図。
【発明を実施するための形態】
【００２３】
以下では、図１から図５を用いて、本発明に係る試験体の防火性能展示装置の一実施形態である展示装置１００の構成について説明する。
なお、以下の説明では、図中に示した矢印に従って、上下方向、前後方向及び左右方向を定義する。
【００２４】
図１から図３に示す展示装置１００は、例えば試験体の防火性能を展示する展示会を開催し、当該展示会の見学者に試験体の防火性能を体感させるための（防火性能の展示を行うための）装置である。展示装置１００は、主として、試験室１０と、試験体集合部２０と、バーナー装置４０と、カメラ５０と、内側温度センサ６０及び外側温度センサ（不図示）と、映像表示部７０と、温度表示部８０と、操作部９０と、により構成される。
【００２５】
図１から図３に示す試験室１０は、防火性能の展示を行うための空間を形成するものである。試験室１０は、主として、外壁部１１と、天井部１２と、により形成される。
【００２６】
図１から図３に示す外壁部１１は、試験室１０の四方（前後左右方向）の壁を形成するものである。外壁部１１は、耐火性を有する部材により形成される。外壁部１１は、複数の側面により形成される。より詳細には、外壁部１１は、前側面１３と、後側面１４と、右側面１５と、第一左側面１６と、第二左側面１７との、５つの側面により形成される。
【００２７】
前側面１３は、試験室１０の前側の側面を形成するものである。前側面１３は、略平板状に形成され、その板面を前後方向へ向けて配置される。前側面１３には、後述する試験体集合部２０が取り付けられる。
【００２８】
後側面１４は、試験室１０の後側の側面を形成するものである。後側面１４は、略平板状に形成され、その板面を前後方向へ向けて配置される。また、後側面１４の左右方向の長さは、前側面１３の左右方向の長さよりも短くなるように形成される。後側面１４には、試験室１０に出入りするための扉１４ａが設けられる。
【００２９】
右側面１５は、試験室１０の右側の側面を形成するものである。右側面１５は、略平板状に形成され、その板面を左右方向へ向けて配置される。右側面１５の前側端部は、前側面１３の右側端部に略隙間無く連結される。また、右側面１５の後側端部は、後側面１４の右側端部に略隙間無く連結される。
【００３０】
第一左側面１６及び第二左側面１７は、試験室１０の左側の側面を形成するものである。
【００３１】
第一左側面１６は、略平板状に形成され、その板面を右後方及び左前方へ向けて配置される。第一左側面１６の前側端部は、前側面１３の左側端部に略隙間無く連結される。こうして、第一左側面１６は、前側面１３の左側端部から平面視で左後方へ向けて延出される。第一左側面１６は、第二左側面１７よりも前方に配置される。
【００３２】
第二左側面１７は、略平板状に形成され、その板面を右前方及び左後方へ向けて配置される。第二左側面１７には、透過性を有する部材により形成された窓部１８が設けられる。なお、本実施形態において窓部１８は、第二左側面１７の略全体に亘って設けられる。換言すれば、窓部１８によって第二左側面１７が形成される。以下では、説明の便宜上、第二左側面１７を、「窓部１８」と称して説明を行うものとする。
【００３３】
窓部１８の前側端部は、第一左側面１６の後側端部に略隙間無く連結される。また、窓部１８の後側端部は、後側面１４の左側端部に略隙間無く連結される。このように、窓部１８と前側面１３との間には、当該窓部１８及び前側面１３とは異なる側面である第一左側面１６が介在される。窓部１８は、第一左側面１６の後側端部から平面視で右後方へ向けて（前後方向に対して斜め方向に）延出される。
【００３４】
図１及び図３に示す天井部１２は、試験室１０の天井を形成するものである。天井部１２は、耐火性を有する部材により形成される。天井部１２は、略平板状に形成され、試験室１０の四方の壁を形成する外壁部１１（前側面１３、後側面１４、右側面１５、第一左側面１６及び窓部１８）の上側端部に略隙間無く連結される。
【００３５】
このように、試験室１０は、外壁部１１（前側面１３、後側面１４、右側面１５、第一左側面１６及び窓部１８）及び天井部１２により、略密閉された空間として形成される。また、試験室１０は、平面視で略五角形状に形成される。そして、展示会の見学者は、窓部１８を介して試験室１０の外部から内部の様子（防火性能の展示が行われる様子）を視認することができる。なお、試験室１０には、後述する試験体２２に炎が吹き付けられることにより発生する臭いや煙を排出するための、図示せぬ換気装置が設けられる。
【００３６】
なお、試験室１０は、本発明に係る「試験室」の一実施形態である。また、前側面１３、後側面１４、右側面１５、第一左側面１６及び第二左側面１７（窓部１８）は、本発明に係る「複数の側面」の一実施形態である。また、前側面１３は、本発明に係る「一の側面」の一実施形態である。また、第二左側面１７（窓部１８）は、本発明に係る「他の側面」の一実施形態である。また、窓部１８は、本発明に係る「第二窓部」の一実施形態である。なお、窓部１８は、第二左側面１７の略全体に亘って設けられる構成でなく、一部に設けられる構成であってもよい。また、窓部１８は、一箇所だけでなく、複数個所に設けられる構成であってもよい。
【００３７】
図１から図４に示す試験体集合部２０は、防火性能の展示の対象となる試験体２２が複数個（本実施形態においては、４個）集合して配置されたものである。試験体集合部２０は、２個設けられ、左右に並んだ状態で前側面１３に取り付けられる。
【００３８】
なお、左右に並んだ２個の試験体集合部２０は同一の構成であるため、以下において特に断りが無ければ、当該２個の試験体集合部２０のうち左側の試験体集合部２０について説明するものとする。
【００３９】
図５に示すように、試験体集合部２０は、主として、フレーム２１と、試験体２２と、窓部２３と、により構成される。
【００４０】
フレーム２１は、試験体２２及び窓部２３を複数個集合させた状態で前側面１３に取り付けるためのものである。フレーム２１は、金属等の耐火性を有する部材により形成される。フレーム２１は、前側面１３に前後方向に貫通して形成されたフレーム取り付け部１３ａ（図２等参照）に固定される。フレーム２１には、試験体取り付け部２１ａ及び窓部取り付け部２１ｂがそれぞれ設けられる。
【００４１】
試験体取り付け部２１ａは、フレーム２１を前後方向に貫通する正面視で略矩形状の貫通孔である。試験体取り付け部２１ａは、フレーム２１に４個設けられる。４個の試験体取り付け部２１ａは、上段及び下段にそれぞれ左右方向に２個並設される。このようにして、４個の試験体取り付け部２１ａは、フレーム２１の左上部、右上部、左下部及び右下部にそれぞれ設けられる。
【００４２】
窓部取り付け部２１ｂは、フレーム２１を前後方向に貫通する正面視で略矩形状の貫通孔である。窓部取り付け部２１ｂは、フレーム２１に２個設けられる。２個の窓部取り付け部２１ｂは、上段及び下段にそれぞれ１個ずつ上下に並設される。上段の窓部取り付け部２１ｂは、上段に設けられた２個の試験体取り付け部２１ａの間に設けられる。下段の窓部取り付け部２１ｂは、下段に設けられた２個の試験体取り付け部２１ａの間に設けられる。このようにして、窓部取り付け部２１ｂは、試験体取り付け部２１ａと隣接するように設けられる。
【００４３】
図５に示す試験体２２は、防火性能の展示の対象となるものである。試験体２２は、例えば住宅に用いられる外壁材（より詳細には、例えば３ｍ角からなる外壁材の一部分）からなる部材である。試験体２２は、略平板状に形成され、その板面を前後方向へ向けて配置される。試験体２２は、フレーム２１の試験体取り付け部２１ａよりも若干小さく形成される。試験体２２は、当該試験体２２を交換する担当者により着脱可能となるように、試験体取り付け部２１ａに取り付けられる。
【００４４】
また、フレーム２１に取り付けられた試験体２２は、当該試験体２２の前側面が前方に露出した状態、且つ当該試験体２２の後側面が後方に露出した状態となる。すなわち、試験体集合部２０は、試験体２２が試験室１０の内部及び外部の両方に露出した状態で、前側面１３に取り付けられる。これにより、展示会の見学者は、試験室１０の内部でバーナー４４から炎が吹き付けられている試験体２２に、試験室１０の外部から直接手で触れることができる。
【００４５】
窓部２３は、試験室１０内の様子を外部から観察するためのものである。窓部２３は、耐熱性及び透過性を有する部材（例えば、耐熱ガラス等）により形成される部材である。窓部２３は、略平板状に形成され、その板面を前後方向へ向けて配置される。窓部２３は、フレーム２１の窓部取り付け部２１ｂよりも若干小さく形成される。窓部２３は、フレーム２１の窓部取り付け部２１ｂに取り付けられる。これにより、展示会の見学者は、当該窓部２３を介して外部から試験室１０内の様子を観察することができる。
【００４６】
なお、試験体２２は、本発明に係る「試験体」の一実施形態である。また、窓部２３は、本発明に係る「第一窓部」の一実施形態である。なお、本実施形態においては、１個のフレーム２１に４個の試験体２２が取り付けられ、合計８個の試験体２２が設けられる構成であるが、これに限定するものではなく、１個のフレーム２１に取り付けられる試験体２２の個数は何個でも良い。同様に、１個のフレーム２１に取り付けられる窓部２３の個数は何個でも良い。
【００４７】
図１から図３に示すバーナー装置４０は、複数の試験体２２のうち所定の試験体２２に炎を吹き付けるための装置である。バーナー装置４０は、試験室１０の内部に配置される。バーナー装置４０は、主として、本体部４１と、駆動モータ４２と、支持部４３と、バーナー４４と、により構成される。
【００４８】
図１から図３に示す本体部４１は、バーナー装置４０の主たる構造体を成す部材である。本体部４１は、中空の略箱状に形成され、試験室１０の内部の床面に配置される。本体部４１の内部には、後述する駆動モータ４２や図示せぬ駆動機構等を含む、バーナー装置４０を構成する各種の部材が収納される。本体部４１の上側面には、当該本体部４１の外部と内部とを連通する溝部４５が形成される。
なお、溝部４５の構成についての詳細な説明は後述する。
【００４９】
図１に示す駆動モータ４２は、バーナー装置４０の駆動源となる部材である。駆動モータ４２は、その作動により駆動力を発生させることができる。
【００５０】
図１及び図３に示す支持部４３は、長手方向を上下方向として延出された略棒状の部材である。支持部４３の下方端部は、溝部４５を介して本体部４１の内部に挿入され、前記駆動機構を介して駆動モータ４２と連動連結される。支持部４３は、前記駆動機構を介して伝達された駆動モータ４２からの駆動力により、溝部４５に沿って前後方向、左右方向及び上下方向に往復移動可能に構成される。
【００５１】
図１から図３に示すバーナー４４は、炎を吹き出すための部材である。バーナー４４は、図示せぬガスボンベに貯溜されたガスを燃料とし、前方へ向けて炎を吹き出すことができる。バーナー４４は、支持部４３により下方から支持され、当該支持部４３の上側端部に固定される。これにより、バーナー４４は、支持部４３を介して伝達された駆動モータ４２からの駆動力により、前後方向、左右方向及び上下方向に往復移動可能に構成される。
【００５２】
こうして、バーナー装置４０は、駆動モータ４２から伝達された駆動力により、バーナー４４を溝部４５に沿って前後方向、左右方向及び上下方向に往復移動させ、複数の試験体２２のうち所定の試験体２２に対向する位置まで移動した後に当該試験体２２に炎を吹き付けることができる。
【００５３】
なお、バーナー４４は、本発明に係る「バーナー」の一実施形態である。また、駆動モータ４２及び前記駆動機構は、本発明に係る「移動手段」の一実施形態である。
【００５４】
図１から図３に示すカメラ５０は、試験体２２を試験室１０の内側から撮影するためのものである。カメラ５０は、試験室１０の内部において、左側の試験体集合部２０の左後方に配置される。カメラ５０は、２個の試験体集合部２０に向けて配置される。
【００５５】
図１及び図３に示す内側温度センサ６０及び外側温度センサ（不図示）は、試験体２２の温度を検出するためのものである。内側温度センサ６０及び前記外側温度センサは非接触式のセンサであり、試験体２２の表面の温度を検出することができる。内側温度センサ６０は、試験室１０の内部において、天井部１２の略中央部に固定される。内側温度センサ６０は、試験体集合部２０（試験体２２）に向けて配置される。これによって内側温度センサ６０は、試験体２２の後側面（試験室１０の内部に露出した側面）の表面の温度を検出することができる。図示しない外側温度センサは、試験室１０の外部において、試験体集合部２０（試験体２２）に向けて配置される。これによって前記外側温度センサは、試験体２２の前側面（試験室１０の外部に露出した側面）の表面の温度を検出することができる。
【００５６】
なお、カメラ５０は、本発明に係る「撮影手段」の一実施形態である。また、内側温度センサ６０及び前記外側温度センサは、本発明に係る「温度検出手段」の一実施形態である。
【００５７】
図１、図３及び図４に示す映像表示部７０は、カメラ５０によって撮影された映像を表示するためのものである。映像表示部７０は、外壁部１１の前側面１３に設けられる。映像表示部７０は、２個の試験体集合部２０の上方に配置される。
【００５８】
温度表示部８０は、内側温度センサ６０及び前記外側温度センサによって検出された試験体２２の温度をそれぞれ表示するためのものである。温度表示部８０は、外壁部１１の前側面１３に設けられる。温度表示部８０は、映像表示部７０のすぐ左隣に配置される。
【００５９】
なお、映像表示部７０は、本発明に係る「映像表示手段」の一実施形態である。また、温度表示部８０は、本発明に係る「温度表示手段」の一実施形態である。
【００６０】
図１及び図３に示す操作部９０は、展示装置１００の操作を行うためのものである。より詳細には、操作部９０の操作を行うことにより、複数の試験体２２のうち（未使用である）所定の試験体２２が自動的に選択され、当該選択した所定の試験体２２の防火性能の展示が行われる。またこの際、カメラ５０によって撮影された映像が映像表示部７０に表示されると共に、内側温度センサ６０及び前記外側温度センサによって検出された試験体２２の温度がそれぞれ温度表示部８０に表示される。
【００６１】
本実施形態においては、操作部９０として、タッチパネル及び制御装置（ＲＡＭやＲＯＭ等の記憶部、ＣＰＵ等の演算処理部等）が一体的に構成された機器が用いられる。操作部９０は、種々の情報に基づいて所定の演算処理や記憶等を行うことができる。操作部９０を操作する者は、操作部９０のタッチパネルに表示される種々の情報に基づいて展示装置１００の操作を行うことができる。操作部９０は、外壁部１１の第一左側面１６に固定される。
【００６２】
なお、操作部９０は、各種の信号の発信部として、バーナー装置４０（より詳細には、駆動モータ４２）、映像表示部７０及び温度表示部８０と電気的に接続される。操作部９０は、駆動モータ４２を制御し、バーナー４４を適宜に移動させることができる。また、操作部９０は、映像表示部７０による映像の表示、及び温度表示部８０による温度の表示を、適宜に開始又は終了させることができる。
【００６３】
なお、操作部９０は、展示会の担当者だけでなく、見学者により操作可能となっている。これにより、展示会の担当者が不在の場合であっても、試験体２２の防火性能の展示を行うことができる。
【００６４】
なお、操作部９０は、本発明に係る「選択手段」の一実施形態である。
【００６５】
以上のように、展示装置１００は、操作部９０の操作により、複数の試験体（試験体集合部２０）のうち（未使用である）所定の試験体２２を自動的に選択し、試験室１０の内部でバーナー装置４０のバーナー４４から炎を吹き付ける、試験体２２の防火性能の展示を行うことができる。そして、展示会の見学者は、バーナー４４から炎が吹き付けられている試験体２２に、試験室１０の外部（前側面１３の前方）から直接手で触れることができる。この際、当該見学者は、当該試験体２２の隣に設けられた窓部２３を介して、試験体２２にバーナー４４から炎が吹き付けられている様子を間近で観察することができる。さらに、当該見学者は、カメラ５０で撮影された映像（異なる視点からの、試験体２２にバーナー４４から炎が吹き付けられている様子）、及び炎が吹き付けられている試験体２２の前後両側面の温度の値を、映像表示部７０及び温度表示部８０で確認することができる。このようにして、当該見学者は、炎が吹き付けられる様子、試験体２２の体感温度、試験体２２の具体的な温度の値等から、当該試験体２２の防火性能を体感することができる。
【００６６】
また、その他の見学者も、広い窓部２３を介して試験体２２に炎が吹き付けられる様子を観察することができる。
【００６７】
以下では、展示装置１００による試験体２２の防火性能の展示の態様について、図６から図８を用いて詳細に説明する。
【００６８】
まず、図６（ａ）を用いて、バーナー装置４０の本体部４１に形成された溝部４５の構成について詳細に説明する。
【００６９】
溝部４５は、支持部４３を介して、バーナー４４を前後方向、左右方向及び上下方向へ向けて案内するものである。すなわち、溝部４５は、バーナー４４の移動経路として形成される。溝部４５は、前後方向に延出される４本の溝部４５（以下では、左側から順番に「第一溝部４５ａ」と、「第二溝部４５ｂ」と、「第三溝部４５ｃ」と、「第四溝部４５ｄ」と、それぞれ称する。）と、左右方向に延出されて、第一溝部４５ａから第四溝部４５ｄまでの前側端部を連結する溝部４５（以下では「第五溝部４５ｅ」と称する。）と、により構成される。
【００７０】
第一溝部４５ａは、左側の試験体集合部２０における左側の試験体２２の前方に形成される。第一溝部４５ａの後側端部は、左側の試験体集合部２０における左側の試験体２２に炎を吹き付ける際のバーナー４４の準備位置となる。また、第一溝部４５ａの前側端部は、左側の試験体集合部２０における左側の試験体２２に炎を吹き付ける際のバーナー４４の吹き付け位置となる。
【００７１】
また、第二溝部４５ｂは、左側の試験体集合部２０における右側の試験体２２の前方に形成される。第二溝部４５ｂの後側端部は、左側の試験体集合部２０における右側の試験体２２に炎を吹き付ける際のバーナー４４の準備位置となる。また、第二溝部４５ｂの前側端部は、左側の試験体集合部２０における右側の試験体２２に炎を吹き付ける際のバーナー４４の吹き付け位置となる。
【００７２】
また、第三溝部４５ｃは、右側の試験体集合部２０における左側の試験体２２の前方に形成される。第三溝部４５ｃの後側端部は、右側の試験体集合部２０における左側の試験体２２に炎を吹き付ける際のバーナー４４の準備位置となる。また、第三溝部４５ｃの前側端部は、右側の試験体集合部２０における左側の試験体２２に炎を吹き付ける際のバーナー４４の吹き付け位置となる。
【００７３】
また、第四溝部４５ｄは、右側の試験体集合部２０における右側の試験体２２の前方に形成される。第三溝部４５ｃの後側端部は、右側の試験体集合部２０における右側の試験体２２に炎を吹き付ける際のバーナー４４の準備位置となる。また、第三溝部４５ｃの前側端部は、右側の試験体集合部２０における右側の試験体２２に炎を吹き付ける際のバーナー４４の吹き付け位置となる。
【００７４】
次に、図６から図８を用いて、試験体２２にバーナー４４から炎を吹き付ける態様について説明する。
【００７５】
なお、以下では、操作部９０の操作によって、バーナー４４から炎を吹き付ける（未使用である）所定の試験体２２として、左側の試験体集合部２０における右上段の試験体２２（以下では、「右上試験体２２ａ」と称する）が選択されたものとする。また、現段階においては、バーナー４４は、第一溝部４５ａの準備位置（後側端部）に配置されているものとする。
【００７６】
まず、図６（ｂ）に示すように、バーナー４４は、第一溝部４５ａの準備位置から第二溝部４５ｂの準備位置に移動する。より詳細には、バーナー４４は、第一溝部４５ａを後側端部（準備位置）から前側端部に移動する。そして、バーナー４４は、第一溝部４５ａの前側端部から第五溝部４５ｅを介して第二溝部４５ｂの前側端部に移動する。そして、バーナー４４は、第二溝部４５ｂを前側端部から後側端部、すなわち第二溝部４５ｂの準備位置に移動する。こうして、バーナー４４は、平面視で右上試験体２２ａに対向する準備位置に移動する。
【００７７】
そして、バーナー４４は、上下方向に移動することにより、側面視で右上試験体２２ａに対向する位置に移動する（図３参照）。
【００７８】
このように、バーナー４４は、第一溝部４５ａ、第五溝部４５ｅ及び第二溝部４５ｂに沿って前後方向、左右方向及び上下方向に移動することにより、右上試験体２２ａに対向する位置に到達する。
【００７９】
そして、図６（ｃ）に示すように、第二溝部４５ｂの準備位置において、バーナー４４は前方へ向けて炎を吹き出す。なお、第二溝部４５ｂの準備位置においてバーナー４４から吹き出された炎は、右上試験体２２ａに到達しない。すなわち、これによりバーナー４４から吹き出される炎の全体像を見学者に視認させ、炎の勢い（迫力）を当該見学者に感じさせることができる。
【００８０】
そして、図６（ｃ）に示すように、バーナー４４は、炎を吹き出した状態で、第二溝部４５ｂの後側端部から前側端部、すなわち準備位置から吹き付け位置に移動する。なお、バーナー４４が吹き付け位置に到達すると、バーナー４４から吹き出した炎は右上試験体２２ａに到達し、当該右上試験体２２ａにバーナー４４からの炎が吹き付けられる。
【００８１】
なお、右上試験体２２ａにバーナー４４から炎が吹き付けられている状態においては、図７に示すように、展示会の見学者は、試験室１０の外部（前側面１３の前方）から、当該右上試験体２２ａに炎が吹き付けられる様子を観察しながら当該右上試験体２２ａに直接手で触れることができる。これにより、展示会の見学者は、試験体２２の防火性能を体感することができる。
【００８２】
こうして、所定の時間だけ右上試験体２２ａにバーナー４４から炎が吹き付けられると、当該バーナー４４からの炎の吹き付けは停止する。これにより、展示装置１００による試験体２２の防火性能の展示が終了する。
【００８３】
なお、本実施形態においては、窓部１８と前側面１３との間に、当該窓部１８及び前側面１３とは異なる側面である第一左側面１６が介在される。
これによって、以下に示すような効果が生ずる。
【００８４】
まず、図８（ｂ）に示すように、例えば窓部１８と前側面１３との間に、当該窓部１８及び前側面１３とは異なる側面である第一左側面１６が介在されない場合について説明する。
【００８５】
図８（ｂ）に示す構成において、窓部１８における範囲Ｌ１内には、試験体２２に炎が吹き付けられることにより煙が発生するため、当該窓部１８を介して防火性能の展示の様子を視認することは困難となる。したがって、展示会の見学者は、窓部１８における範囲Ｌ３内から防火性能の展示の様子を視認することとなる。すなわち、図８（ｂ）に示す構成においては、窓部１８における長手方向の一部の範囲（範囲Ｌ３）内でしか、当該窓部１８を介して防火性能の展示の様子を視認することができない。
【００８６】
これに対して、図８（ａ）に示すように、本実施形態においては、窓部１８と前側面１３との間に、当該窓部１８及び前側面１３とは異なる側面である第一左側面１６が介在されるため、窓部１８を所望する場所に設置することができる。すなわち、本実施形態においては、窓部１８の長手方向の前側端部の位置が、前後方向位置においてバーナー４４の前端部と略同一となるように設置される。
【００８７】
このような構成により、窓部１８の長手方向の前側端部の位置において、試験体２２に炎が吹き付けられることにより発生した煙に邪魔されず、当該窓部１８を介して防火性能の展示の様子を視認することができる。したがって、展示会の見学者は、窓部１８における範囲Ｌ２内から防火性能の展示の様子を視認することとなる。すなわち、本実施形態に係る構成においては、窓部１８における長手方向の全部の範囲（範囲Ｌ２）内で、当該窓部１８を介して防火性能の展示の様子を視認することができる。
【００８８】
また、窓部１８は、前述したように、その板面を右前方及び左後方へ向けて配置され、バーナー４４からの炎の吹き出し方向（前後方向）に対して平面視で斜め方向に配置されている。このように、窓部１８をバーナー４４からの炎の吹き出し方向（前後方向）に対して平面視で斜め方向に配置することにより、窓部１８の長手方向の長さ（範囲Ｌ２の長さ）を、図８（ｂ）における範囲Ｌ３の長さよりも長くなるように形成される。すなわち、本実施形態に係る構成においては、例えば図８（ｂ）に示す構成よりも、一度に多くの見学者に窓部１８を介して防火性能の展示の様子を視認させることができる。
【００８９】
なお、本実施形態に係る構成において、窓部１８は、図８（ａ）に示すように、当該窓部１８の長手方向のどの位置（例えば後側端部や前側端部）から試験室１０の内部を見た場合であっても、第一溝部４５ａから第四溝部４５ｄにおける準備位置及び吹き付け位置（すなわち、複数の準備位置及び吹き付け位置）、及びバーナー４４から炎が吹き付けられる試験体２２（ずなわち、左側及び右側の両方の試験体集合部２０）を視認できるように形成される。
【００９０】
以下では、図９を用いて、試験体２２の交換の態様について説明する。
【００９１】
なお、以下では、前述した防火性能の展示により使用した右上試験体２２ａを未使用の試験体２２に交換するものとする。
【００９２】
図９（ａ）に示すように、試験体集合部２０において、右上試験体２２ａはバーナー４４から炎が吹き付けられたことにより、表面が黒く変色した状態となっている。そして、図９（ｂ）に示すように、試験体集合部２０におけるフレーム２１の試験体取り付け部２１ａから右上試験体２２ａを取り外す。なお、試験体取り付け部２１ａから右上試験体２２ａを取り外した場合であっても、その他の試験体２２は取り付けられたままである。そして、図９（ｃ）に示すように、予め準備していた未使用の試験体２２を、右上試験体２２ａが取り外されて空洞となったフレーム２１の試験体取り付け部２１ａに取り付ける。
【００９３】
このように、試験体集合部２０における４個の試験体２２は、それぞれの試験体２２ごとに交換することができる。このような構成により、未使用の試験体２２はそのまま残るため、コストの削減を図ることができる。
【００９４】
なお、前述したように、一度の防火性能の展示においては、複数の試験体２２のうち選択された１個の試験体２２だけが使用される。すなわち、本実施形態においては、合計８個の試験体２２が設けられていることから、展示ごとに使用済みの試験体２２を未使用の試験体２２に交換しなくてもよく、具体的には８回連続して展示を行うことができる。また、本実施形態に係る構成によれば、一度の交換にて複数個の使用済みの試験体２２を未使用の試験体２２に交換することができるので、試験体２２を交換する作業回数を削減することができる。
【００９５】
以上の如く、本実施形態に係る展示装置１００（試験体の防火性能展示装置）は、
複数の側面を有する試験室１０と、
前記複数の側面のうち前側面１３（一の側面）に、試験室１０の内部及び外部に露出した状態で設けられる複数の試験体２２と、
試験室１０の内部に設けられて炎を吹き出すことができるバーナー４４と、
複数の試験体２２から一の試験体２２を選択する操作部９０（選択手段）と、
選択された前記一の試験体２２に対して炎を吹きつけることができる吹き付け位置にバーナー４４を移動させる駆動モータ４２及び前記駆動機構（移動手段）と、
前側面１３に設けられ、試験室１０の外部から内部を視認可能な窓部２３（第一窓部）と、
を具備するものである。
このように構成することにより、見学者は、試験体２２に触れたまま試験室１０の内部の様子を観察することができる。したがって、試験体２２に炎が吹き付けられる様子を見ながら、当該試験体２２に外部から触れ、当該試験体２２の防火性能を体感することができる。これによって、当該見学者に試験体２２の防火性能を十分に印象付けることができる。
【００９６】
また、窓部２３は、前記複数の試験体２２に隣接する位置に設けられるものである。
このように構成することにより、見学者は、より容易に試験体２２に触れたまま試験室の内部の様子を観察することができる。
すなわち、試験体２２に触れる手の位置と、窓部２３を覗き込む顔の位置が近いため、見学者は無理な体勢をとらなくても、試験体２２に触れたまま試験室の内部の様子を観察することができる。
また、窓部２３が試験体２２に隣接しているため、見学者は炎の様子を間近で観察することができ、当該見学者に試験体２２の防火性能をより十分に印象付けることができる。
【００９７】
また、窓部２３は、前記複数の試験体２２と同一の高さに設けられるものである。
このように構成することにより、見学者は、より容易に試験体２２に触れたまま試験室１０の内部の様子を観察することができる。
すなわち、試験体２２に触れる手の位置と、窓部２３を覗き込む顔の位置をほぼ同じ高さにすることができるため、見学者は無理な体勢をとらなくても、試験体２２に触れたまま試験室の内部の様子を観察することができる。
【００９８】
また、展示装置１００は、
試験室１０の内部に設けられて前記複数の試験体２２を撮影するカメラ５０（撮影手段）と、
試験室１０の外部かつ前側面１３の近傍から視認可能な位置に設けられ、カメラ５０により撮影された映像を表示する映像表示部７０（表示手段）と、
をさらに具備するものである。
このように構成することにより、見学者は、カメラ５０により撮影された映像を併せて見ることができる。これによって、当該見学者に試験体２２の防火性能をより十分に印象付けることができる。
【００９９】
また、展示装置１００は、
前記複数の試験体２２の温度を検出する内側温度センサ６０及び前記外側温度センサ（温度検出手段）と、
試験室１０の外部かつ前側面１３の近傍から視認可能な位置に設けられ、内側温度センサ６０及び前記外側温度センサにより検出された前記複数の試験体２２の温度を表示する温度表示部８０（温度表示手段）と、
をさらに具備するものである。
このように構成することにより、見学者は、内側温度センサ６０及び前記外側温度センサにより検出された試験体２２の温度を併せて確認することができる。これによって、当該見学者に試験体２２の防火性能をより十分に印象付けることができる。
【０１００】
また、展示装置１００は、
前記複数の側面のうち、前側面１３と隣接しない第二左側面１７（他の側面）に設けられ、試験室１０の外部から内部を視認可能な窓部１８（第二窓部）をさらに具備するものである。
このように構成することにより、試験体２２に触れている見学者以外の見学者も、炎が吹き付けられている試験体２２を観察することができ、多数の見学者に試験体２２の防火性能を印象付けることができる。
また、前側面１３と第二左側面１７との間に他の側面（第一左側面１６）を介在させることで、第二左側面１７（ひいては、窓部１８）を所望する場所に設置し易くすることができる。
【０１０１】
なお、本実施形態においては、試験室１０は平面視で略五角形状に形成されるものとしたが、本発明はこれに限るものではない。すなわち、試験室１０は、複数の側面を有するものであれた、その形状を限定するものではない。
【０１０２】
また、バーナー装置４０は本実施形態に係る構成に限るものではなく、複数の試験体２２のうち一の試験体２２に炎を吹き付けることができるものであれば良い。
【０１０３】
また、試験体２２及び窓部２３は本実施形態に係る構成に限るものではなく、適宜形状や配置を変更することが可能である。
【０１０４】
また、本実施形態においては、窓部２３は試験体２２と共にフレーム２１に設けられる構成としたが、本発明はこれに限るものではない。例えば、窓部２３を直接前側面１３に設ける構成としたり、窓部２３と試験体２２をそれぞれ異なるフレームに設ける構成とすることも可能である。
【０１０５】
また、カメラ５０の配置は本実施形態に係るものに限らず、任意に変更することが可能である。また、内側温度センサ６０及び前記外側温度センサは、本実施形態に係る非接触式のセンサに限るものではなく、任意に変更することができる。
【０１０６】
また、本実施形態においては、内側温度センサ６０及び前記外側温度センサによって、試験体２２の前後両側面の温度を検出するものとしたが、本発明はこれに限るものではない。すなわち、試験体２２の前後いずれか一方の側面の温度のみを検出する構成とすることも可能である。
【０１０７】
また、映像表示部７０及び温度表示部８０の配置は本実施形態に限るものではない。具体的には、映像表示部７０及び温度表示部８０は、試験室１０の外部かつ前側面１３の近傍（すなわち、試験体２２を触っている見学者の位置）から視認可能な位置に設けられるものであれば良い。例えば、映像表示部７０及び温度表示部８０を試験室１０内（窓部１８又は窓部２３を介して外部から見ることができる位置）に配置することも可能である。
【０１０８】
また、本実施形態においては、試験室１０の外壁部１１のうち、前側面１３及び第二左側面１７に窓部（窓部２３及び窓部１８）を設ける構成としたが、本発明はこれに限るものではない。すなわち、その他の側面（例えば、第一左側面１６等）に窓部を設ける構成とすることも可能である。
【符号の説明】
【０１０９】
１０      試験室
１１      外壁部
１３      前側面（一の側面）
１７      第二左側面（他の側面）
１８      窓部（第二窓部）
２０      試験体集合部
２２      試験体
２３      窓部（第一窓部）
４０      バーナー装置
４２      駆動モータ
４４      バーナー
５０      カメラ（撮影手段）
７０      映像表示部（表示手段）
９０      操作部（選択手段）
１００    展示装置（防火性能展示装置）
【図１】
2015169854.tif 000003
【図２】
2015169854.tif 000004
【図３】
2015169854.tif 000005
【図４】
2015169854.tif 000006
【図５】
2015169854.tif 000007
【図６】
2015169854.tif 000008
【図７】
2015169854.tif 000009
【図８】
2015169854.tif 000010
【図９】
2015169854.tif 000011